(57)【特許請求の範囲】
【請求項１】
無線通信ネットワークにおいて無線干渉を処理するための、第１の無線基地局（１２）とされる無線基地局（１２）における方法であって、当該第１の無線基地局（１２）は、第１のセル（１４）を形成する地理的領域にわたり無線カバレッジを提供し、第１のユーザ機器（１０）及び第２のユーザ機器（１１）は、当該第１のセル（１４）においてサービスを提供され、前記第１の無線基地局（１２）、前記第１のユーザ機器（１０）及び前記第２のユーザ機器（１１）は、前記無線通信ネットワークに含まれ、前記方法は、
‐前記第１のセル（１４）内で前記第２のユーザ機器（１１）とデバイスツーデバイス（Ｄ２Ｄ）接続上で通信するために第１の無線リソースが前記第１のユーザ機器（１０）に割り当てられることを判定すること（５０１）と、
‐第２のセル（１５）にサービスを提供する構成へ情報を転送すること（５０３）と、当該情報は、前記第１の無線リソースを識別し、及び前記第１のセル（１４）内の前記第２のユーザ機器（１１）と前記Ｄ２Ｄ接続上で通信するために当該第１の無線リソースが前記第１のユーザ機器（１０）に割り当てられることを示すことと、当該情報は、前記第２のセル（１５）内の第３のユーザ機器（１６）に第２の無線リソースをスケジューリングするために、前記第２のセル（１５）にサービスを提供する前記構成によって考慮されることと、
を含み、
前記情報は、標準化されたトラフィック負荷インジケータメッセージ又はオーバーロードインジケータメッセージを拡張することによって提供され、前記Ｄ２Ｄ接続について用いられるリソースを無線リソースごとに識別する、
方法。
【請求項２】
前記構成は、第２の無線基地局（１３）に含まれ、前記情報は、当該情報を含むトラフィック負荷インジケータを前記第２の無線基地局（１３）へのメッセージにおいて送信することによって転送される、請求項１に記載の方法。
【請求項３】
前記構成は、第２の無線基地局（１３）に含まれ、前記転送すること（５０３）は、前記第１の無線リソース上の無線干渉が閾値を超える場合にトリガされ、前記情報は、前記第２の無線基地局（１３）へのメッセージ中のオーバーロードインジケータにおいて当該情報を送信することによって転送され、当該オーバーロードインジケータは、前記第２のセル（１５）における対応無線リソースが前記第３のユーザ機器（１６）にスケジューリングされるべきではないことを示し、当該対応無線リソースは、前記情報において識別される前記第１の無線リソースに対応する、請求項１〜２のいずれか１項に記載の方法。
【請求項４】
‐前記第１のユーザ機器（１０）及び前記第２のユーザ機器（１１）のうちの少なくとも１つのユーザ機器の位置を判定すること（５０２）、
をさらに含み、
前記転送すること（５０３）は、当該少なくとも１つのユーザ機器が前記第１のセル（１４）の境界及び／又は前記第２のセル（１５）の境界の距離レンジ内に存在する場合、実行される、
請求項１〜３のいずれか１項に記載の方法。
【請求項５】
前記情報は、前記第１の無線リソースを周波数ドメイン及び時間ドメインにおけるリソースブロックのセットとして識別する情報、前記Ｄ２Ｄ接続において用いられる最大送信電力、再利用標識、前記第１のユーザ機器（１０）の位置及び／又は前記第２のユーザ機器（１１）の位置を含む、請求項１〜４のいずれか１項に記載の方法。
【請求項６】
前記情報は、前記無線リソースがＤ２Ｄ通信について用いられるか否かを示す１つ以上のビットを含む、請求項１〜５のいずれか１項に記載の方法。
【請求項７】
無線通信ネットワークにおいて第３のユーザ機器（１６）によって用いられるべき第２の無線リソースをスケジューリングするための、第２の無線基地局（１３）とされる無線基地局（１３）における方法であって、当該第２の無線基地局（１３）は、第２のセル（１５）を形成する地理的領域にわたり無線カバレッジを提供し、前記第３のユーザ機器（１６）は当該第２のセル（１５）においてサービスを提供され、前記第２の無線基地局（１３）及び前記第３のユーザ機器（１６）は前記無線通信ネットワークに含まれ、前記方法は、
‐第１のセル（１４）にサービスを提供する構成から情報を受信すること（７０３）と、当該情報は、第１の無線リソースを識別し、及び前記第１のセル（１４）内で第２のユーザ機器（１１）とデバイスツーデバイス（Ｄ２Ｄ）接続上で通信するために当該第１の無線リソースが第１のユーザ機器（１０）に割り当てられることを示すことと、
‐前記情報を考慮して第２の無線リソースを前記第３のユーザ機器（１６）にスケジューリングすること（７０４）と、
を含み、
前記情報は、標準化されたトラフィック負荷インジケータメッセージ又はオーバーロードインジケータメッセージを拡張することによって提供され、前記Ｄ２Ｄ接続について用いられるリソースを無線リソースごとに識別する、
方法。
【請求項８】
‐前記第３のユーザ機器（１６）が前記第２のセル（１５）又は前記第１のセル（１４）のセル境界の距離レンジ内に存在することを判定すること、
をさらに含み、
前記第３のユーザ機器（１６）が前記距離レンジ内に存在する場合、前記スケジューリングすること（７０４）は、受信される前記情報において識別される前記第１の無線リソースに対応しない、前記第２のセル（１５）における前記第２の無線リソースを割り当てることによって実行される、
請求項７に記載の方法。
【請求項９】
‐前記第３のユーザ機器（１６）が前記第２のセル（１５）内の第４のユーザ機器（１７）とＤ２Ｄ接続上で通信していることを判定すること、
をさらに含み、
前記第３のユーザ機器（１６）が前記第４のユーザ機器（１７）と前記Ｄ２Ｄ接続上で通信している場合、前記スケジューリングすること（７０４）は、受信される前記情報において識別される前記第１の無線リソースに対応しない、前記第２のセル（１５）における前記第２の無線リソースを割り当てることによって実行される、
請求項７〜８のいずれか１項に記載の方法。
【請求項１０】
前記情報は、前記構成からのメッセージ中のトラフィック負荷インジケータに含まれ、当該構成は、第１の無線基地局（１２）に含まれる、請求項７〜９のいずれか１項に記載の方法。
【請求項１１】
前記情報は、前記構成からのメッセージ中のオーバーロードインジケータに含まれ、当該構成は、第１の無線基地局（１２）に含まれ、当該オーバーロードインジケータは、前記第１の無線リソース上の無線干渉が閾値を超えることを示す、請求項７〜１０のいずれか１項に記載の方法。
【請求項１２】
受信される前記情報は、前記第１の無線リソースを周波数ドメイン及び時間ドメインにおけるリソースブロックのセットとして識別する情報、前記Ｄ２Ｄ接続において用いられる最大送信電力、再利用標識、前記第１のユーザ機器（１０）の位置及び／又は前記第２のユーザ機器（１１）の位置を含む、請求項７〜１１のいずれか１項に記載の方法。
【請求項１３】
無線通信ネットワークにおいて無線干渉を処理するための、第１の無線基地局（１２）とされる無線基地局（１２）であって、当該第１の無線基地局（１２）は、第１のユーザ機器（１０）及び第２のユーザ機器（１１）にサービスを提供するように構成される第１のセル（１４）を形成する地理的領域にわたり無線カバレッジを提供するように構成され、当該第１の無線基地局（１２）は、
前記第１のセル（１４）内で前記第２のユーザ機器（１１）とデバイスツーデバイス（Ｄ２Ｄ）接続上で通信するために第１の無線リソースが前記第１のユーザ機器（１０）に割り当てられることを判定するように構成される判定回路（６０１）と、
第２のセル（１５）にサービスを提供する構成へ情報を転送するように構成される転送回路（６０２）と、
を備え、
前記情報は、前記第１の無線リソースを識別し、及び前記第１のセル（１４）内で前記第２のユーザ機器（１１）と前記Ｄ２Ｄ接続上で通信するために当該第１の無線リソースが前記第１のユーザ機器（１０）に割り当てられることを示し、当該情報は、前記第２のセル（１５）内の第３のユーザ機器（１６）に第２の無線リソースをスケジューリングするために、前記第２のセル（１５）にサービスを提供する前記構成によって考慮され、
前記情報は、標準化されたトラフィック負荷インジケータメッセージ又はオーバーロードインジケータメッセージを拡張することによって提供され、前記Ｄ２Ｄ接続について用いられるリソースを無線リソースごとに識別する、
無線基地局（１２）。
【請求項１４】
無線通信ネットワークにおいて第３のユーザ機器（１６）によって用いられるべき第２の無線リソースをスケジューリングするための、第２の無線基地局（１３）とされる無線基地局であって、当該第２の無線基地局（１３）は、前記第３のユーザ機器（１６）にサービスを提供するように構成される第２のセル（１５）を形成する地理的領域にわたり無線カバレッジを提供するように構成され、当該第２の無線基地局は、
第１のセル（１４）にサービスを提供する構成からの情報を受信するように構成される受信回路（８０１）であって、当該情報は、第１の無線リソースを識別し、及び前記第１のセル（１４）内で第２のユーザ機器（１１）とデバイスツーデバイス（Ｄ２Ｄ）接続上で通信するために当該第１の無線リソースが第１のユーザ機器（１０）に割り当てられることを示す、受信回路と、
前記情報を考慮して第２の無線リソースを第３のユーザ機器（１６）にスケジューリングするように構成されるスケジューラ（８０３）と、
を備え、
前記情報は、標準化されたトラフィック負荷インジケータメッセージ又はオーバーロードインジケータメッセージを拡張することによって提供され、前記Ｄ２Ｄ接続について用いられるリソースを無線リソースごとに識別する、
無線基地局。
【発明の詳細な説明】
【技術分野】
【０００１】
本明細書における実施形態は、第１の無線基地局、第２の無線基地局、及びこれらの基地局における方法に関する。特に、本明細書における実施形態は、無線通信ネットワーク内の無線干渉を処理することに関する。
【背景技術】
【０００２】
今日の無線通信ネットワークにおいて、少し例を挙げるだけでも、ＬＴＥ（Long  Term  Evolution）、ＬＴＥ−Ａｄｖａｎｃｅｄ、第３世代パートナーシッププロジェクト（３ＧＰＰ：3rd  Generation  Partnership  Project）広帯域符号分割多元接続（ＷＣＤＭＡ：Wideband  Code  Division  Multiple  Access）、ＧＳＭ／ＥＤＧＥ（Global  System  for  Mobile  communications/Enhanced  Data  rate  for  GSM  Evolution）、ＷｉＭａｘ（Worldwide  Interoperability  for  Microwave  Access）、又はＵＭＢ（Ultra  Mobile  Broadband）といった多くの異なる技術が用いられている。無線通信ネットワークは、セルを形成する少なくとも１つのそれぞれの地理的領域に無線カバレッジを提供する無線基地局を含む。ユーザ機器は、それぞれの無線基地局によってセル内でサービスを提供され、及びそれぞれの無線基地局と通信している。ユーザ機器は、アップリンク（ＵＬ）送信において無線基地局へ無線で又は無線インタフェース上でデータを送信し、無線基地局は、ダウンリンク（ＤＬ）送信においてユーザ機器へ無線で又は無線インタフェース上でデータを送信する。
【０００３】
直交周波数分割多元接続（ＯＦＤＭ：orthogonal  frequency  division  multiple  access）ネットワークにおいて、ユーザ機器は、直交する、従って非与干渉のリソースを時間ドメイン及び周波数ドメインにおいて割り当てられる。高いリソース利用率を達成するために、現代のマルチセル無線通信ネットワークは、各セル内で全ての時間リソース及び周波数リソースを再利用し（「再利用１」とも呼ばれる）、及び高性能なセル間干渉コーディネーション（ＩＣＩＣ：Inter-Cell  Interference  Coordination）技法を採用して、周囲のセルによってもたらされる干渉を低減する。
【０００４】
例えば、３ＧＰＰは、近隣の無線基地局が互いに通信することを可能にする、無線基地局間のいわゆるＸ２インタフェース上でのセル間の、即ち無線基地局間の通信プロトコルを標準化した。そのようなＸ２ベースのＩＣＩＣは、無線基地局が時間リソース、周波数リソース及び電力リソースの使用に関して互いに能動的に又は受動的に通知し、及びそのようなセル間情報を当該無線基地局のスケジューリング及びＯＦＤＭリソースブロック（ＲＢ）割り当てにおいて考慮することを可能にする。
【０００５】
無線基地局が採用する具体的なＩＣＩＣアルゴリズムは、ベンダの又はネットワーク事業者のＩＣＩＣ戦略及び／又は現在のトラフィック負荷及び／又はネットワークの配備及び他の状況に依存し得るものであって、通信標準の範囲外である。
【０００６】
ネットワーク支援型（ＮＡ：Network  Assisted）のデバイスツーデバイス（Ｄ２Ｄ）通信は、セルラネットワークのスペクトル効率を増加させる手段として近年提案されている。一般に、ＮＡ  Ｄ２Ｄシナリオにおいて、無線基地局は、ユーザ機器のＤ２Ｄペア間の無線インタフェース上でユーザデータが直接通信される間、通信の制御に関する、通信デバイスの制御プレーン機能性の大部分を節約する。例えば、無線基地局は、Ｄ２Ｄ通信についての特定の送信時間間隔（ＴＴＩ：Transmission  Time  Interval）中にどのＯＦＤＭリソースブロックが用いられるべきかを決定し得る。
【０００７】
特定の技術的解決策に依存して、幾つかの他の制御プレーン機能性は、特定のデバイスに委ねられ得る。例えば、送信側（ＴＸ）ユーザ機器は、ユーザデータについての送信電力を無線基地局によって判定される最大送信電力レベルまで設定し得る。Ｄ２Ｄペア内のユーザ機器は、サウンディングリファレンス信号（ＳＲＳ：Sounding  Reference  Signal）を送信し、測定し及びレポートすることによってＤ２Ｄ接続の無線チャネル品質を判定することにもアクティブに参加し得る。ＳＲＳは、予め定義される信号であって、ＴＸユーザ機器及び受信側（ＲＸ）ユーザ機器の双方に予め知得されている。受信されるＳＲＳは、予め知得されているＳＲＳと比較され、無線チャネル品質は、当該比較に基づく。
【０００８】
ＮＡ  Ｄ２Ｄ通信において、Ｄ２Ｄ接続又はリンクについての無線リソースの割り当てに関する幾つかの代替案が存在する。そのような無線リソースは、時間ドメイン及び周波数ドメインにおけるＯＦＤＭリソースブロック及び／又は送信電力を含み得る。スペクトル効率を最大化するために、ＯＦＤＭリソースブロックを単一のセルのカバレッジエリア内でセルラ接続及びＤ２Ｄ接続の双方について再利用することが望ましい。そのような場合において、従来のセルラシナリオとは対照的に、セル内干渉は、もはや無視できない。セルラリンクとＤ２Ｄリンクとの間でＯＦＤＭリソースブロックの同時の重複する使用が存在し得るためである。本明細書におけるセルラ接続は、無線基地局とユーザ機器との間の接続を意味する。
【０００９】
通信中のユーザ機器の特定のペアについて、無線基地局は、セルラモード、即ちユーザ機器が無線基地局を通じて通信すること、又はＤ２Ｄモード、即ちユーザ機器がダイレクトリンクを通じて通信することにも変更し得る。この変更は、ユーザ機器の地理的位置、モビリティ若しくは伝搬特性における変化、干渉状況、トラフィック負荷の変動、又は他の要因に依存し得る。例えば、Ｄ２Ｄペア内のユーザ機器はセル内においてあちこち移動してもよく、モビリティに起因して当該Ｄ２Ｄペアを形成するユーザ機器間の距離があまりに大きくなる場合、ユーザ機器は、あまりに大きい干渉をもたらし得る。代わりに、無線基地局は、当該無線基地局を介したセルラ接続へ通信を変更し得る。
【００１０】
特定のＤ２Ｄペアは、ＴＸユーザ機器からＲＸユーザ機器への何らかのユーザデータの送信中に、ダウンリンク無線リソース又はアップリンク無線リソースのいずれかを用いる。ＤＬリソースが用いられる場合、ＴＸユーザ機器は、隣接セルにサービスを提供する無線基地局からのセルラＤＬデータを受信する当該隣接セルのセルラユーザ機器のごく近隣に存在し得る。Ｄ２Ｄ通信が存在しない場合、セルラユーザ機器は、ＴＸユーザ機器にサービスを提供する無線基地局からの無線干渉を被るであろう。ＴＸユーザ機器にサービスを提供する無線基地局と隣接セル内のユーザ機器との間の距離は、少なくともセル半径である。Ｄ２Ｄ通信が存在する場合、与干渉デバイスであるＴＸユーザ機器は、隣接セルにおけるセルラユーザ機器を停止に追い込むほど当該機器に非常に近くなり得る。即ち、セルラユーザ機器に全面的に干渉を与えかねない。
【００１１】
ＵＬリソースがＤ２Ｄ送信について用いられる場合、問題はＤＬの状況と同様であるが、この状況において犠牲となるのは、Ｄ２ＤペアのＲＸ  ＵＥである。この場合において、隣接セル内のセルラユーザ機器は、ＵＬにおいて送信し、隣接セルに近い、Ｄ２ＤペアのＲＸユーザ機器に強い干渉をもたらし得る。この基本的な無線干渉問題は、用いられるリソース予約スキームに依存して異なる時間スケールで生じるが、同様である。
【発明の概要】
【発明が解決しようとする課題】
【００１２】
本明細書における実施形態の目的は、無線通信ネットワークのセル内の無線干渉を緩和するメカニズムを提供することである。
【課題を解決するための手段】
【００１３】
本明細書における実施形態のある態様によれば、上記目的は、無線通信ネットワークにおいて無線干渉を処理するための、第１の無線基地局における方法によって達成される。第１の無線基地局は、第１のセルを形成する地理的領域にわたり無線カバレッジを提供する。第１のユーザ機器及び第２のユーザ機器は、第１のセルにおいてサービスを提供される。第１の無線基地局、第１のユーザ機器及び第２のユーザ機器は、無線通信ネットワークに含まれる。第１の無線基地局は、第１のセル内で第２のユーザ機器とデバイスツーデバイス（Ｄ２Ｄ）接続上で通信するために第１の無線リソースが第１のユーザ機器に割り当てられることを判定する。第１の無線基地局は、第２のセルにサービスを提供する構成へ情報を転送する。当該情報は、第１の無線リソースを識別し、及び第１のセル内の第２のユーザ機器とＤ２Ｄ接続上で通信するために当該第１の無線リソースが第１のユーザ機器に割り当てられることを示す。当該情報は、第２のセル内の第３のユーザ機器に第２の無線リソースをスケジューリングするために、第２のセルにサービスを提供する上記構成によって考慮される。当該構成は、第１の無線基地局又は第２の無線基地局に含まれ得る。
【００１４】
上記方法を実行するために、無線通信ネットワークにおいて無線干渉を処理するための第１の無線基地局が提供される。第１の無線基地局は、第１のユーザ機器及び第２のユーザ機器にサービスを提供する第１のセルを形成する地理的領域にわたり無線カバレッジを提供するように構成される。第１の無線基地局は、第１のセル内で第２のユーザ機器とデバイスツーデバイス（Ｄ２Ｄ）接続上で通信するために第１の無線リソースが第１のユーザ機器に割り当てられることを判定するように構成される判定回路、を備える。第１の無線基地局は、第２のセルにサービスを提供する構成へ情報を転送するように構成される転送回路、をさらに備える。当該情報は、第１の無線リソースを識別し、及び第１のセル内で第２のユーザ機器とＤ２Ｄ接続上で通信するために当該第１の無線リソースが第１のユーザ機器に割り当てられることを示す。上記情報は、第２のセル内の第３のユーザ機器に第２の無線リソースをスケジューリングするために、第２のセルにサービスを提供する上記構成によって考慮される。
【００１５】
本明細書における実施形態のある態様によれば、上記目的は、無線通信ネットワークにおいて第３のユーザ機器によって用いられるべき第２の無線リソースをスケジューリングするための、第２の無線基地局における方法によって達成される。第２の無線基地局は、第３のユーザ機器にサービスを提供する第２のセルを形成する地理的領域にわたり無線カバレッジを提供する。第２の無線基地局及び第３のユーザ機器は、無線通信ネットワークに含まれる。第２の無線基地局は、第１のセルにサービスを提供する構成から情報を受信する。当該情報は、第１の無線リソースを識別し、及び第１のセル内で第２のユーザ機器とＤ２Ｄ接続上で通信するために当該第１の無線リソースが第１のユーザ機器に割り当てられることを示す。第２の無線基地局は、上記情報を考慮して第２の無線リソースを第３のユーザ機器にさらにスケジューリングする。
【００１６】
上記方法を実行するために、無線通信ネットワークにおいて第３のユーザ機器によって用いられるべき第２の無線リソースをスケジューリングするための第２の無線基地局が提供される。第２の無線基地局は、第３のユーザ機器にサービスを提供する第２のセルを形成する地理的領域にわたり無線カバレッジを提供するように構成される。第２の無線基地局は、第１のセルにサービスを提供する構成から情報を受信するように構成される受信回路、を備える。当該情報は、第１の無線リソースを識別し、及び第１のセル内で第２のユーザ機器とＤ２Ｄ接続上で通信するために当該第１の無線リソースが第１のユーザ機器に割り当てられることを示す。第２の無線基地局は、上記情報を考慮して第２の無線リソースを第３のユーザ機器にスケジューリングするように構成されるスケジューラ、をさらに備える。
【００１７】
第２の無線基地局に無線リソース又はＤ２Ｄについて用いられるリソースについて通知することによって、第２のセル内の対応無線リソースは、非与干渉的な手法、例えば第１のセルに近いＤ２Ｄ接続ではないようにスケジューリングされ又はスケジューリングされるように変更される。それによって、無線干渉は、無線通信ネットワークにおいて緩和される。
【図面の簡単な説明】
【００１８】
ここで、実施形態は、添付される図面に関して、より詳細に説明されるであろう。図面において：
【００１９】
【図１】無線通信ネットワークを表す概略図である。
【図２ａ】無線通信ネットワークにおける通信を表す概略図である。
【図２ｂ】無線通信ネットワークにおける通信を表す概略図である。
【図２ｃ】無線通信ネットワークにおける通信を表す概略図である。
【図３】無線通信ネットワークにおけるフローチャートとシグナリングスキームとの組み合わせ図である。
【図４】無線通信ネットワークにおけるフローチャートとシグナリングスキームとの組み合わせ図である。
【図５】第１の無線基地局における方法のフローチャートである。
【図６】無線通信ネットワーク内の第１の無線基地局を表すブロック図である。
【図７】第２の無線基地局における方法のフローチャートである。
【図８】無線通信ネットワーク内の第２の無線基地局を表すブロック図である。
【発明を実施するための形態】
【００２０】
図１は、無線通信ネットワークの概略図である。幾つかの取り得る実装の例を挙げるだけでも、無線通信ネットワークＬＴＥ、ＬＴＥ−Ａｄｖａｎｃｅｄ、３ＧＰＰ  ＷＣＤＭＡ、ＧＳＭ／ＥＤＧＥ、ＷｉＭａｘ、又はＵＭＢにおいて、多くの異なる技術が用いられ得る。
【００２１】
無線通信ネットワークは、第１の無線基地局１２と、第２の無線基地局１３と、を含む。各無線基地局は少なくとも１つの地理的領域に無線カバレッジを提供し、第１のセル１４及び第２のセル１５が形成される。第１のユーザ機器１０及び第２のユーザ機器１１は、第１のセル１４内で第１の無線基地局１２によってサービスを提供される。第３のユーザ機器１６及び第４のユーザ機器１７は、第２のセル１５内で第２の無線基地局１３によってサービスを提供される。セルラモードにある場合、ユーザ機器１０、１１、１６、１７は、アップリンク（ＵＬ）送信においてそれぞれの無線基地局へ無線インタフェース上でデータを送信し得る。無線基地局１２、１３は、ダウンリンク（ＤＬ）送信においてユーザ機器１０、１１、１６、１７へ情報を送信し得る。
【００２２】
しかしながら、本明細書における実施形態によれば、第１のユーザ機器１０は、第１のセル１４内で第２のユーザ機器１１と無線インタフェース上で直接、即ちデバイスツーデバイス（Ｄ２Ｄ）接続上で通信している。従って、第１のユーザ機器１０及び第２のユーザ機器１１は、Ｄ２Ｄペアを形成する。第１の基地局１２は、Ｄ２Ｄ接続上で第２のユーザ機器１１と通信するための１つ以上の無線リソース、例えば、送信電力と共に時間及び周波数上のリソースブロック（ＲＢ）を第１のユーザ機器１０に割り当てている。Ｄ２Ｄ接続上での通信は、隣接セルに向かって無線干渉を生成し得る。Ｄ２Ｄ通信は、第２のセル１５などの隣接セルにおいてデバイスツーデバイス接続上で通信する１つ以上のユーザ機器からの無線干渉も経験し得る。第１の無線基地局１２が複数のセル又はセクタをサポートする場合、第１の無線基地局１２は第２のセル１５にサービスを提供することがあること、及び図示される例における第２の無線基地局１３は第２のセル１５にサービスを提供する構成を含むことが理解されるべきである。
【００２３】
第１の無線基地局１２及び第２の無線基地局１３にそれぞれのセル内でＤ２Ｄ通信について割り当てられる１つ以上の無線リソース（本明細書において第１の無線リソースと呼ばれる）について互いに通知させ、並びに、それぞれの無線基地局がそれぞれのセル内のユーザ機器に無線リソース（本明細書において第２の無線リソースと呼ばれる）をスケジューリングする際にこの情報を考慮することによって、Ｄ２Ｄ通信によってもたらされるセル間干渉などの無線干渉は、緩和され得る。
【００２４】
それ故に、本明細書における実施形態によれば、第１の無線基地局１２は、第１のユーザ機器１０に第１のセル１４内で第２のユーザ機器１１とＤ２Ｄ接続上で通信するために第１の無線リソース、例えばＲＢが割り当てられることを判定する。第１の無線基地局は、第２のセル１５にサービスを提供する構成に情報を転送する。図示される例において、当該構成は、第２の無線基地局１３に含まれ、当該情報は、第２の無線基地局１３へ送信される。代替的に又は付加的に、上記構成は、第１の無線基地局１２が第１のセル１４及び第２のセル１５を含む複数のセルにサービスを提供する無線基地局である場合、第１の無線基地局１２に含まれてもよい。上記情報は、第１の無線リソースを識別し、及び当該第１の無線リソースが第１のユーザ機器１０に第２のユーザ機器１１とＤ２Ｄ接続上で通信するために割り当てられることを示す。第２の無線基地局１３は、この受信情報を第２の無線リソースを第２のセル１５内の第３のユーザ機器１６にスケジューリングするために用い得る。
【００２５】
例えば、第２の無線基地局１３は、第３のユーザ機器１６が第１のセルの近くに存在する場合、受信情報中の識別される無線リソースに対応する対応無線リソースを第３のユーザ機器１６にスケジューリングすることを回避し得る。第２の無線基地局１３は、上記対応無線リソースを第３のユーザ機器１６と第４のユーザ機器１７との間のＤ２Ｄ通信についてスケジューリングすることも回避し得る。ここで、対応無線リソースとは、時間及び周波数において識別される無線リソースが同じ時間及び周波数によって、ただし異なるセルにおいて識別される無線リソースに対応することを意味する。
【００２６】
上記情報は、メッセージにおいて、例えば、既存の標準化されたＸ２無線基地局間のトラフィック負荷インジケータ（ＴＬＩ：traffic  load  indicator）メッセージ及びオーバーロードインジケータ（ＯＩ）メッセージを拡張することによって、第２の無線基地局１３へ送信され得る。これらのメッセージは、当該メッセージ中の上記情報を利用する様々な干渉アルゴリズムにおいて用いられ得る。本明細書における実施形態は、様々なタイプのマルチセルネットワーク、例えば、周波数分割複信ネットワーク又は時分割複信ネットワーク、及び、例えば時間ドメイン又は周波数ドメインにおける様々なタイプのセル間デバイス間干渉コーディネーション技法について用いられ得る。
【００２７】
図２ａ〜図２ｃは、ネットワーク支援型のデバイスツーデバイス通信におけるリソース割当ての代替案の様々な例の概略図である。
【００２８】
図２ａに示すように、第１の無線基地局１２は、第１のユーザ機器１０と第２のユーザ機器１１との間のＤ２Ｄ通信について送信時間間隔（ＴＴＩ）ベースで無線リソースを割り当て又はスケジューリングし（本明細書において、割り当てと呼ばれる）得る。
【００２９】
図２ｂは、第１の無線基地局１２が双方向Ｄ２Ｄ接続について結合的な（joint）無線リソースのプールを割り当て得ることを例示する。例えば、ある量の無線リソースは、第１のユーザ機器にとって当該第１のユーザ機器１０と第２のユーザ機器１１との間で用いられるべき無線リソースの割り当て元となり得るようにＤ２Ｄ接続について割り当てられ、当該プールの別の無線リソースは、第５のユーザ機器２０と第６のユーザ機器２１との間の通信のためのものである。
【００３０】
図２ｃは、第１の無線基地局１２が双方向Ｄ２Ｄ接続のＵＬ通信についての専用の無線リソース及びＤＬについての専用の無線リソースを割り当て得ることを例示する。
【００３１】
本明細書における実施形態は、３つのケース全てにおいて適用可能であり、第１の無線基地局１２は、メッセージを判定し及び生成してもよく、当該メッセージは、第１のセル１４内のＤ２Ｄ通信に割り当てられる１つ以上の無線リソース（以下、無線リソースと呼ぶ）を識別し及び示す情報を含む。
【００３２】
本明細書における実施形態の利点は、既存のＸ２  ＴＬＩ及びＯＩ  ＩＣＩＣメッセージと同様に、図２ａ〜図２ｃに示すセル内リソース予約スキームに依存し得る、様々な無線干渉低減メカニズムについての基本的な構成要素が提供される点である。
【００３３】
上述のように、起こり得る無線干渉を通知するメカニズムは、例えば、ＬＴＥにおけるＸ２メッセージなどの基地局間メッセージ中のトラフィック負荷インジケータ（ＴＬＩ）及びオーバーロードインジケータ（ＯＩ）を拡張することによって実装され得る。従って、第１の無線基地局１２からの基地局間メッセージは、第１のセル１４のカバレッジエリア内のＤ２Ｄ通信について用いられる無線リソースに関する情報を搬送し得る。これらの拡張された基地局間メッセージは、図３及び図４に示すように能動的に又は受動的に用いられ得る。
【００３４】
図３は、無線通信ネットワークにおけるフローチャートとシグナリングスキームとの組み合わせ図である。図３は、本明細書における実施形態に関し、第１の無線基地局１２は、能動モードにおいて動作し、ある無線リソースがＤ２Ｄ通信について用いられるという標識が、メッセージ中の例えばＴＬＩに付加される。このメッセージは、第１のセル１４内のＤ２Ｄ通信について用いられることとなる、時間ドメイン及び／又は周波数ドメインにおける１つのリソースブロック又は複数のリソースブロックのセットに関して隣接基地局、例えば第２の無線基地局１３に通知するために用いられ得る。第２のセル１５は、そのようなリソースブロックをセルエッジ近くに位置するユーザ機器及び／又は第２のセル１５内でＤ２Ｄ通信中のユーザ機器について用いることを回避し得る。上記方法は、任意の適切な順序で実行され得る以下のステップを含む。
【００３５】
ステップ３０１。第１の無線基地局１２は、第１の無線リソースがＤ２Ｄ通信について割り当てられることを判定する。第１の無線基地局１２は、例えば、当該第１の無線基地局１２におけるメモリ回路から無線リソースの割り当て又はスケジューリングスキームを読み出し得る。第１の無線基地局１２は、第１の無線リソースをＤ２Ｄ接続上の通信について割り当て得る。例えば、第１の無線基地局１２は、セル内干渉を低減するために、第１のセル１４において用いられる他の無線リソースに基づいて第１の無線リソースをＤ２Ｄ接続に割り当て得る。第１の無線基地局１２は、これを様々な時間スケールで行ってもよく、図２ａ〜図２ｃに例示されるような様々なリソース割り当て戦略に従ってもよい。
【００３６】
単一のセルを考えると、Ｄ２Ｄ通信について無線リソースを割り当てる際、２つのリソース割り当て戦略が用いられ得る。第１のケースにおいて、第１の無線基地局１２と通信中であるＤ２Ｄ接続及びセルラ接続は、直交無線リソースを割り当てられ得る。この第１のケースにおいて、Ｄ２Ｄ接続とセルラ接続との間にセル内干渉は存在しない。第２のケースにおいて、Ｄ２Ｄ接続及びセルラ接続は、第１のセル１４のカバレッジエリア内で同じリソースブロックを再利用し得る。この第２のケースにおいて、Ｄ２Ｄ接続及びセルラ接続は、当該セル内で互いに干渉をもたらすことがあり、セル内干渉としても知られている。
【００３７】
双方の場合において、互いに近接し又は隣接するセル、例えば隣接セルのＤ２Ｄ接続及びセルラ接続は、互いに干渉し得る。上記第１のケースの利点は、セル内干渉が除去されることである一方、上記第２のケースのアプローチは、ＯＦＤＭリソースブロックが第１のセル１４内で再利用され得るため、高いスペクトル効率を可能にする。本明細書における実施形態は、双方のケースにおいて適用可能である。第１のセル１４において割り当てられるべき無線リソースは、第１の無線基地局１２において予め設定されてもよい。このステップは、以下に説明される図５におけるステップ５０１の一例である。
【００３８】
ステップ３０２。第１の無線基地局１２は、第１の無線リソースを識別し、及び当該第１の無線リソースが第１のセル１４内のＤ２Ｄ接続について割り当てられることを示す情報を転送し得る。図示される例において、当該情報は、Ｄ２Ｄ  ＴＬＩとも呼ばれる、Ｄ２Ｄ情報により拡張されたトラフィック負荷インジケータ（ＴＬＩ）を第２のセル１５などの他のセル、例えば隣接セルにサービスを提供する１つ以上の構成に送信することによって転送される。図示される例において、上記情報は、隣接無線基地局、例えば第２の無線基地局１３へ送信される。
【００３９】
代替的に又は付加的に、図２ａ及び図２ｃに例示されるケースにおいて、第１の無線基地局１２は、上記方法を用いて、無線リソースが割り当てられる特定のＤ２Ｄペアの位置を判定し、及び判定された位置のみに基づいてＤ２Ｄ  ＴＬＩを特定の隣接セルへ送り得る。従って、Ｄ２Ｄ通信によって影響を受ける隣接セルのみに通知がなされ、より効率的なシグナリングという結果になり、これは利点である。
【００４０】
第１の無線基地局１２は、Ｄ２Ｄ  ＴＬＩを含むメッセージを生成し得る。Ｄ２Ｄ  ＴＬＩは、第１の無線基地局１２の第１のセル１４におけるＤ２Ｄ通信について用いられる特定のＵＬリソースブロック又はＵＬリソースブロックに関する情報を含み得る。例えば、これは、周波数ドメインにおけるＯＦＤＭリソースブロックのリスト及び／又はＤ２Ｄ通信がスケジューリングされるであろう時間ドメインにおける後続のＯＦＤＭフレーム中サブフレームのリストであってもよい。さらに、Ｄ２Ｄ  ＴＬＩは、Ｄ２Ｄ接続の送信側（ＴＸ）ユーザ機器である第１のユーザ機器１０、１１が用いることを許容される最大送信出力を付加的に含んでもよい。また、Ｄ２Ｄ  ＴＬＩは、Ｄ２Ｄペアの第１のユーザ機器１０及び第２のユーザ機器の幾何学的位置を当該情報が利用可能であれば含んでもよい。
【００４１】
これらの情報は、第２の無線基地局１３などの、隣接セルにサービスを提供する構成が、例えば、特定のＤ２Ｄの候補についてのモード選択、並びに図２ａ及び図２ｃにおけるケースのＤ２Ｄペア、又は図２ｂに例示される複数のＤ２Ｄペアのプールについてのリソース割り当てを決定する場合、隣接セル、例えば第２のセル１５にとって有用となり得る。このステップは、以下に説明される図５におけるステップ５０３の一例である。
【００４２】
ステップ３０３。第２の無線基地局１３は、第２のセル１５内の第３のユーザ機器１６の位置、及び付加的に第２のセル１５内の第４のユーザ機器１７の位置を判定し得る。当該位置は、各ユーザ機器１６、１７から受信される位置、第２の無線基地局１３において測定される位置、及び／又は無線通信ネットワークのコアネットワーク内の測位ノードから受信される位置であってもよい。例えば、第２の無線基地局１３は、ユーザ機器のうちのいずれかが第２のセル１５の境界の距離レンジ内に存在するかを判定してもよく、又は幾何学的ロケーションが、判定され及び第１の無線基地局１２の無線カバレッジエリアと比較されてもよい。このステップは、以下に説明される図７におけるステップ７０２の一例である。
【００４３】
ステップ３０４。第２の無線基地局１３は、受信される情報を考慮しつつ、第２の無線リソースを第３のユーザ機器１６及び／又は第４のユーザ機器１７にスケジューリングし得る。従って、第３のユーザ機器１６が第２のセル１５の境界に近い場合、第３のユーザ機器１６が第１の無線基地局１２の無線カバレッジに近い場合、及び／又は第３のユーザ機器１６が第４のユーザ機器１７と直接通信すべきである場合、第２の無線基地局１３は、受信メッセージにおいて示される第１の無線リソースに対応する無線リソースをＤ２Ｄ通信について用いられる無線リソースとしてスケジューリングしないことがある。それによって、セル間干渉などの無線干渉は、第１のセル１４と第２のセル１５との間で低減され又は回避される。別の例は、第３のユーザ機器１６又は第４のユーザ機器１７がスケジューリングされるリソースブロック上で第３のユーザ機器１６又は第４のユーザ機器１７が用い得る、第３のユーザ機器１６又は第４のユーザ機器１７のうちで送信側ユーザ機器となるいずれかの送信電力を第２の無線基地局１３が制限することであり得る。それによって、第３のユーザ機器１６又は第４のユーザ機器１７が隣接セルにもたらす無線干渉は、制限される。このステップは、以下で説明される、図７のステップ７０４の一例である。
【００４４】
ＴＬＩを有するメッセージの代替案及び／又は補完として、第１の無線基地局１２は、ＯＩを有するメッセージを隣接セルへ送り得る。このメッセージは、ネイバーに送信者のリソース割り当てに関して通知するＴＬＩとは対照的に、基本的に、リソース割り当てに関する、１つ以上の隣接セルへの要求である。
【００４５】
図４は、無線通信ネットワークにおけるフローチャートとシグナリングスキームとの組み合わせ図である。図４は、受動モードにおいて動作する実施形態に関し、無線リソースがＤ２Ｄ通信について用いられるという情報は、メッセージ中のＯＩに付加される。このメッセージは、あるリソース上で受信される干渉があまりに高く、対応無線リソースを第２のセル１５内のＤ２Ｄ通信について用いないように第１の無線基地局１２が第２の無線基地局１３に要求することを第２の無線基地局１３に通知するために用いられる。
【００４６】
ステップ４０１。第１の無線基地局１２は、第１の無線リソースがＤ２Ｄ通信について割り当てられることを判定する。例えば、第１の無線基地局１２は、第１の無線リソースを第１のユーザ機器１０と第２のユーザ機器１１との間のＤ２Ｄ接続上の通信について割り当て得る。このステップは、上記の図３におけるステップ３０１に対応し、以下に説明される図５におけるステップ５０１の一例である。
【００４７】
ステップ４０２。第１の無線基地局１２は、第１のユーザ機器１０及び第２のユーザ機器１１にグラントを送信し得る。当該グラントは、Ｄ２Ｄ通信について用いられるべき第１の無線リソースを示す。
【００４８】
ステップ４０３。第１のユーザ機器１０は、第１のユーザ機器１０と第２のユーザ機器１１との間のＤ２Ｄ接続の干渉測定値又は標識、例えば、サウンディングリファレンス信号（ＳＲＳ）測定値を第１の無線基地局に折り返しレポートする。
【００４９】
ステップ４０４。第１の無線基地局１２は、受信された干渉測定値を分析することによって、Ｄ２Ｄ通信に割り当てられる第１の無線リソース上の干渉のレベルを判定し得る。
【００５０】
ステップ４０５。第１の無線基地局１２は、判定された干渉のレベルを干渉の閾値と比較し得る。当該閾値は、事業者によって予め設定されても、又は第１のセル１４内のトラフィックに基づいて設定されてもよい。
【００５１】
ステップ４０６。第１の無線基地局１２は、第１の無線リソースを識別し及び当該第１の無線リソースが第１のセル１４におけるＤ２Ｄ通信について用いられることを示す情報を含むメッセージを生成し得る。当該情報は、ＯＩに付加され得る。ＯＩは、第１のセルの１つ以上の隣接セルへ送られるべきである。図示される例において、ＯＩは、第２のセル１５におけるリソース割り当てに関する、第２の無線基地局１３への要求を示す。
【００５２】
ステップ４０７。第１の無線基地局１２は、第２のセル１５にサービスを提供する構成へ上記メッセージを送信する。当該構成は、図示される例において、第２の無線基地局１３である。このステップは、以下に説明される図５におけるステップ５０３の一例である。
【００５３】
ステップ４０８。第２のセル１５にサービスを提供する第２の無線基地局１３は、第２の無線リソースを第２のセル１５内の第３のユーザ機器１６にスケジューリングする。第２の無線基地局１３は、第２の無線リソースをスケジューリングする際に、受信された情報を考慮する。例えば、第３のユーザ機器１６は、受信された情報において識別される第１の無線リソースに対応する第２の無線リソース上で第４のユーザ機器１７と通信している。第２の無線基地局１３は、ＯＩを有するメッセージを受信し、その結果、第２の無線リソースの割り当てを変更し、第２の無線基地局１３を介したセルラ接続又は第１のセル１４に近くないＤ２Ｄ接続のいずれかを用いるユーザ機器に第２の無線リソースを再割り当てする。従って、第２の無線基地局１３は、割り当てモードをＤ２Ｄモードからセルラモードに変更し、無線リソース又は同様のものを再割り当てし得る。また、受信された情報において識別される第１の無線リソースに第２の無線リソースが対応しない場合、第２の無線リソースは、第１のセル１４の近くに位置し又は第１のセル１４の境界の通信距離内のユーザ機器についてのＤ２Ｄ通信について割り当てられ得る。代替的に又は付加的に、第１の無線基地局１２からＯＩを有するメッセージを受信する第２の無線基地局１３は、例えば、第３のユーザ機器１６がＤ２Ｄペアの送信側である場合、第３のユーザ機器１６からの送信がスケジューリングされるリソースブロック上の送信電力を低減するように第３のユーザ機器１６に指示し得る。このステップは、以下に説明される図７におけるステップ７０４の一例である。
【００５４】
ある意味において、上記の能動モード及び受動モードは、Ｘ２インジケータの現行の使用と同様である。能動モードにおいて、送信者である第１の無線基地局１２は、受信者である第２の無線基地局１３に将来のアクションについて通知する一方、受動モードにおいて、送信者は、過去のイベントに基づいて受信者によるアクションを要求する。
【００５５】
ここで、幾つかの一般的な実施形態に係る、無線通信ネットワークにおいて無線干渉を処理するための、図面において第１の無線基地局１２と呼ばれる無線基地局における方法ステップが、図５に表されるフローチャートを参照しつつ説明されるであろう。上述したように、第１の無線基地局１２は、第１のセル１４を形成する地理的領域にわたり無線カバレッジを提供する。第１のセル１４において、第１のユーザ機器１０及び第１の無線基地局１２にサービスが提供される。第１の無線基地局１２、第１のユーザ機器１０及び第２のユーザ機器１１は、無線通信ネットワークに含まれる。方法ステップは、以下に記載される順序で実行される必要はなく、任意の適切な順序で実行され得る。
【００５６】
ステップ５０１。第１の無線基地局１２は、第１のセル１４内の第２のユーザ機器１１とＤ２Ｄ接続上で通信するために第１の無線リソースが第１のユーザ機器１０に割り当てられることを判定する。
【００５７】
ステップ５０２。第１の無線基地局１２は、第１のユーザ機器１０及び第２のユーザ機器１１のうちの少なくとも１つのユーザ機器の位置を判定し得る。例えば、ＧＰＳ座標がユーザ機器１０、１１から受信されてもよく、又は、第１の無線基地局１２が三角測量若しくは同様のものを実行してもよい。ステップ５０２は、破線で示されるように、幾つかの実施形態において実行される。
【００５８】
ステップ５０３。第１の無線基地局１２は、第２のセル１５にサービスを提供する構成へ情報を転送する。当該情報は、第１の無線リソースを識別し、及び第１のセル１４内の第２のユーザ機器１１とＤ２Ｄ接続上で通信するために当該第１の無線リソースが第１のユーザ機器１０に割り当てられることを示す。上記情報は、第２のセル１５内の第３のユーザ機器１６に第２の無線リソースをスケジューリングするために、第２のセル１５にサービスを提供する構成によって考慮されることとなる。当該構成は、第２のセル１５にサービスを提供する第２の無線基地局１３に含まれてもよく、又は、第１の無線基地局１２が複数のセルにサービスを提供する場合、第２のセル１５にサービスを提供する第１の無線基地局１２における回路を含んでもよい。上記構成が第２の無線基地局１３に含まれる場合、上記情報は、当該情報を含むトラフィック負荷インジケータを第２の無線基地局１３へのメッセージにおいて第１の無線基地局が送信することにより転送される。幾つかの実施形態において、第１の無線基地局１２は、第１の無線リソース上の無線干渉が閾値を超える場合、上記情報を転送するようにトリガされる。上記情報は、第２の無線基地局１３へのメッセージ中のオーバーロードインジケータにおいて当該情報を送信することによって転送され得る。オーバーロードインジケータは、第２のセル１５における対応無線リソースが第３のユーザ機器１６にスケジューリングされるべきではないことを示す。対応無線リソースは、上記情報において識別される第１の無線リソースに対応する。上記情報は、第１の無線リソースを識別する周波数及び時間だけでなく、最大送信電力、第１のユーザ機器１０及び／又は第２のユーザ機器１１の位置も含んでもよい。
【００５９】
第１の無線基地局１２が第１のユーザ機器１０及び第２のユーザ機器１１のうちの少なくとも１つのユーザ機器の位置を判定した幾つかの実施形態において、第１の無線基地局１２は、当該少なくとも１つのユーザ機器が第１のセル１４の境界及び／又は第２のセル１５の境界の距離レンジ内に存在する場合、上記情報を転送し得る。例えば、第１の無線基地局１２は、第２のセル１５がカバーする地理的領域を知得していてもよく、第１のユーザ機器１０が第２のセル１５のカバレッジエリアの方向における第１のセルの境界から１００メートルの距離内に存在する場合、上記情報が第２の無線基地局１３へ送信されるべきであると判定してもよい。
【００６０】
上記情報は、以下を含み得る：第１の無線リソースを周波数ドメイン及び時間ドメインにおけるリソースブロックのセットとして識別する情報；Ｄ２Ｄ接続において用いられる最大送信電力；再利用標識；第１のユーザ機器１０の位置及び／又は第２のユーザ機器１１の位置。当該情報は、幾つかの実施形態において、第１の無線リソースがＤ２Ｄ通信について用いられるか否かを示す１つ以上のビットを含み得る。
【００６１】
上記情報は、送信時間間隔（ＴＴＩ）ベースでレポートされ得る。例えば、リソースブロックは、周波数及び時間において識別され、及びＤ２Ｄのリソースとして用いられるかを示され得る。リソースブロックは、第１のセル１４において再利用されるかを１つ以上のビットにより示され得る。例えば、「１０」は、リソースブロックがセルラ通信について用いられることを意味し、「０１」は、リソースブロックがＤ２Ｄ通信について用いられることを意味し、「１１」は、リソースブロックがセルラ通信及びＤ２Ｄ通信の双方について用いられることを意味し、並びに「００」は、リソースブロックが用いられないことを意味する。
【００６２】
従って、ＴＬＩ及び／又はＯＩを含むメッセージは、ＯＦＤＭリソースブロックなどの特定のリソースブロック（ＲＢ）が特定の時間間隔中にセルラ通信、Ｄ２Ｄ通信、これらの双方に用いられるのか又はいずれにも用いられないのかも表し得る。上述したように、ＴＬＩ及びＯＩは、ＲＢごとに各ＲＢの固有の用途を特定する２ビットを含み得る。
【００６３】
ＴＬＩメッセージ及びＯＩメッセージの双方は、第１の無線基地局１２によるモード選択における変更によってトリガされ得る。例えば、第１の無線基地局１２がＤ２Ｄ通信についての無線リソースを無線リソースのプールから割り当てる第１のモードから無線リソースをＴＴＩベースで割り当てる第２のモードに変更する場合、第１の無線基地局１２は、Ｄ２Ｄ又は同様のものについて用いられる無線リソースのレポーティングを開始する。
【００６４】
無線通信ネットワークにおける無線干渉を処理する方法ステップを実行するために、無線基地局１２が提供される。図６は、図面において第１の無線基地局と呼ばれる無線基地局のブロック図である。上述したように、第１の無線基地局１２は、第１のユーザ機器１０及び第２のユーザ機器１１にサービスを提供するように構成される第１のセル１４を形成する地理的領域にわたり無線カバレッジを提供するように構成される。
【００６５】
第１の無線基地局１２は、第１のセル１４内で第２のユーザ機器１１とのデバイスツーデバイス（Ｄ２Ｄ）接続上で通信するために第１の無線リソースが第１のユーザ機器１０に割り当てられることを判定するように構成される判定回路６０１を備える。判定回路６０１は、第１のユーザ機器１０及び第２のユーザ機器１１のうちの少なくとも１つのユーザ機器の位置を判定するようにさらに構成され得る。
【００６６】
第１の無線基地局は、第２のセル１５にサービスを提供する構成へ情報を転送するように構成される転送回路６０２をさらに備える。当該情報は、第１の無線リソースを識別し、及び第１のセル１４内で第２のユーザ機器１１とＤ２Ｄ接続上で通信するために当該第１の無線リソースが第１のユーザ機器１０に割り当てられることを示す。上記情報は、第２のセル１５内の第３のユーザ機器１６に第２の無線リソースをスケジューリングするために、第２のセル１５にサービスを提供する構成によって考慮されることとなる。
【００６７】
幾つかの実施形態において、上記構成は、第２の無線基地局１３に含まれてもよく、転送回路６０２は、上記情報を含むトラフィック負荷インジケータを第２の無線基地局１３へのメッセージにおいて送信するように構成される。
【００６８】
幾つかの実施形態において、転送回路６０２は、第１の無線リソース上の無線干渉が閾値を超える場合、上記情報を転送するようにトリガされるように構成される。転送回路６０２は、第２の無線基地局１３へのメッセージ中のオーバーロードインジケータにおいて上記情報を送信するように構成され得る。オーバーロードインジケータは、上記情報において識別される第１の無線リソースに対応する、第２のセル１５における対応無線リソースが第３のユーザ機器１６にスケジューリングされるべきではないことを示す。
【００６９】
転送回路６０２は、少なくとも１つのユーザ機器が第１のセル１４の境界及び／又は第２のセル１５の境界の距離レンジ内に存在する場合、上記情報を転送するようにさらに構成され得る。
【００７０】
上記情報は、以下を含み得る：第１の無線リソースを周波数ドメイン及び時間ドメインにおけるリソースブロックのセットとして識別する情報；Ｄ２Ｄ接続において用いられる最大送信電力；再利用標識；第１のユーザ機器１０の位置及び／又は第２のユーザ機器１１の位置。当該情報は、代替的に又は付加的に、第１の無線リソースがＤ２Ｄ通信について用いられるか否かを示す１つ以上のビットを含む。
【００７１】
第１の無線基地局１２が第２のセル１５も制御する場合、上記情報は、第１の無線基地局１２内の制御ユニット（ＣＵ：control  unit）６０３に転送され得る。
【００７２】
ユーザ機器の位置は、ユーザ機器１０、１１から受信／送信回路（ＲＸ／ＴＸ）６０４を介して受信される情報に基づき得る。当該ＲＸ／ＴＸ６０４は、Ｄ２Ｄペアによって用いられる無線リソースの無線干渉に関するレポートも受信し得る。また、割り当てグラントは、ＲＸ／ＴＸ６０４を介して様々なユーザ機器１０、１１へ送られ得る。
【００７３】
無線通信ネットワークにおける無線干渉を処理するための、本明細書における実施形態は、本明細書における実施形態の機能及び／又は方法ステップを実行するためのコンピュータプログラムコードと共に、図６に表される第１の無線基地局１２における処理回路６０５などの１つ以上のプロセッサを通じて実装され得る。上記プログラムコードは、コンピュータプログラムプロダクトとして、例えば、第１の無線基地局１２にロードされる場合、本解決法を実行するためのコンピュータプログラムコードを搬送するデータキャリアの形式で提供されてもよい。１つのそのようなキャリアは、ＣＤ  ＲＯＭディスクの形式であってもよい。ただし、メモリスティックなどの他のデータキャリアでも実現可能である。さらに、コンピュータプログラムコードは、サーバ上の純粋なプログラムコードとして提供され及び第１の無線基地局１２にダウンロードされてもよい。
【００７４】
第１の無線基地局１２は、メモリ６０６を備え得る。メモリ６０６は、１つ以上のメモリユニットを含み、例えば、距離レンジ又は干渉値の閾値、品質値、割り当てスキーム、無線リソース情報、位置、セル境界情報、隣接セルのデータ、第１の無線基地局１２又は同様のもの上で実行される場合に本明細書における方法を実行するためのアプリケーションといったデータを記憶するために用いられ得る。
【００７５】
ここで、幾つかの一般的な実施形態に係る、無線通信ネットワークにおいて第３のユーザ機器によって用いられるべき第２の無線リソースをスケジューリングするための、図面において第２の無線基地局１３と呼ばれる無線基地局における方法ステップが、図７に表されるフローチャートを参照しつつ説明されるであろう。当該ステップは、以下に記載される順序で実行される必要はなく、任意の適切な順序で実行され得る。
【００７６】
第２の無線基地局１３は、第２のセル１５を形成する地理的領域にわたり無線カバレッジを提供し、第３のユーザ機器１６は、当該第２のセル１５においてサービスを提供される。第２の無線基地局１３及び第３のユーザ機器１６は、無線通信ネットワークに含まれる。
【００７７】
ステップ７０１。第２の無線基地局１３は、第３のユーザ機器１６が第２のセル１５又は第１のセル１４のセル境界の距離レンジ内に存在することを判定し得る。ステップ７０１は、破線で示されるように、幾つかの実施形態において実行される。
【００７８】
ステップ７０２。第２の無線基地局１３は、第３のユーザ機器１６が第２のセル１５内の第４のユーザ機器１７とＤ２Ｄ接続上で通信していることを判定し得る。ステップ７０２は、破線で示されるように、幾つかの実施形態において実行される。
【００７９】
ステップ７０３。第２の無線基地局は、第１のセル１４にサービスを提供する構成から情報を受信する。当該情報は、第１の無線リソースを識別し、及び第１のセル１４内で第２のユーザ機器１１とデバイスツーデバイス（Ｄ２Ｄ）接続上で通信するために当該第１の無線リソースが第１のユーザ機器１０に割り当てられることを示す。
【００８０】
ステップ７０４。第２の無線基地局１３は、上記情報を考慮して第２の無線リソースを第３のユーザ機器１６にスケジューリングする。
【００８１】
幾つかの実施形態において、第３のユーザ機器１６が第２のセル１５又は第１のセル１４のセル境界の距離レンジ内に存在する場合、第２の無線基地局１３は、受信情報において識別される第１の無線リソースに対応しない、第２のセル（１５）における第２の無線リソースを割り当てることによって、第２の無線リソースをスケジューリングする。
【００８２】
幾つかの実施形態において、第３のユーザ機器１６が第２のセル１５内の第４のユーザ機器１７とＤ２Ｄ接続上で通信している場合、第２の無線基地局１３は、受信情報において識別される第１の無線リソースに対応しない、第２のセル１５における第２の無線リソースをＤ２Ｄ通信について割り当てることによって、第２の無線リソースをスケジューリングする。
【００８３】
上記情報は、第１の無線基地局１２に含まれる構成からのメッセージ中のトラフィック負荷インジケータに含まれてもよい。
【００８４】
上記情報は、代替的に又は付加的に、第１の無線基地局１２に含まれる上記構成からのメッセージ中のオーバーロードインジケータに含まれてもよい。オーバーロードインジケータは、第１の無線リソース上の無線干渉が閾値を超えることを示し得る。
【００８５】
受信情報は、代替的に又は付加的に、以下を含む：第１の無線リソースを周波数ドメイン及び時間ドメインにおけるリソースブロックのセットとして識別する情報；Ｄ２Ｄ接続において用いられる最大送信電力；再利用標識；第１のユーザ機器１０の位置及び／又は第２のユーザ機器１１の位置。
【００８６】
スケジューリング７０４は、第３のユーザ機器１６が第２のセル１５内の第４のユーザ機器１７とＤ２Ｄ接続上で通信する場合、第２の無線リソースを第３のユーザ機器１６から第２の無線基地局１３に近いセルラモードのユーザ機器へ再割り当てすることを含み得る。第２の無線リソースは、メッセージにおいて識別される第１の無線リソースに対応する。
【００８７】
幾つかの実施形態において、Ｄ２Ｄ通信について用いられるＲＢについての電力の上限が設定され得る。
【００８８】
図８は、無線通信ネットワークにおいて第３のユーザ機器１６によって用いられるべき第２の無線リソースをスケジューリングするための第２の無線基地局１３を示すブロック図である。第２の無線基地局１３は、第２のセル１５を形成する地理的領域にわたり無線カバレッジを提供するように構成され、及び第３のユーザ機器１６にサービスを提供するように構成される。
【００８９】
第２の無線基地局１３は、第１のセル１４にサービスを提供する構成から情報を受信するように構成される受信回路８０１を備える。当該情報は、第１の無線リソースを識別し、及び第１のセル１４内の第２のユーザ機器（１１）とデバイスツーデバイス（Ｄ２Ｄ）接続上で通信するために第１の無線リソースが第１のユーザ機器１０に割り当てられることを示す。上記構成は、第１の無線基地局１２、又はコンポーネント／回路、例えば、第２の無線基地局１３が第１及び第２のセルを制御する場合、第２の無線基地局１３における制御ユニット（ＣＵ）８０２に含まれ得る。
【００９０】
第２の無線基地局１３は、上記情報を考慮して第２の無線リソースを第３のユーザ機器１６にスケジューリングするように構成されるスケジューラ８０３をさらに備える。
【００９１】
幾つかの実施形態において、第２の無線基地局１３は、第３のユーザ機器１６が第２のセル１５又は第１のセル１４のセル境界の距離レンジ内に存在することを判定するように構成される判定回路８０４を備え得る。これは、第３のユーザ機器１６からの、受信／送信回路（ＲＸ／ＴＸ）８０５を介したレポート又は同等のものに基づいて判定され得る。第３のユーザ機器１６が上記距離レンジ内に存在する場合、スケジューラ８０３は、受信情報において識別される第１の無線リソースに対応しない、第２のセルにおける第２の無線リソースを割り当てるように構成され得る。
【００９２】
判定回路８０４は、代替的に又は付加的に、第３のユーザ機器１６が第２のセル１５内の第４のユーザ機器１７とＤ２Ｄ接続上で通信していることを判定するように構成され得る。第３のユーザ機器１６が第４のユーザ機器１７とＤ２Ｄ接続上で通信している場合、スケジューラ８０３は、第２のセル１５における第２の無線リソースを割り当てるようにさらに構成され得る。第２の無線リソースは、受信情報において識別される第１の無線リソースに対応していない。割り当てられた第２の無線リソースに関する情報は、ＲＸ／ＴＸ８０５を介して第３のユーザ機器１６へ送信され得る。
【００９３】
上記情報は、上記構成からのメッセージ中のトラフィック負荷インジケータに含まれ、上記構成は、第１の無線基地局１２に含まれる。上記情報は、代替的に又は付加的に、上記構成からのメッセージ中のオーバーロードインジケータに含まれてもよく、当該構成は、第１の無線基地局１２に含まれる。オーバーロードインジケータは、第１の無線リソース上の無線干渉が閾値を超えることを示し得る。
【００９４】
受信情報は、以下を含み得る：第１の無線リソースを周波数ドメイン及び時間ドメインにおけるリソースブロックのセットとして識別する情報；Ｄ２Ｄ接続において用いられる最大送信電力；再利用標識；第１のユーザ機器１０の位置及び／又は第２のユーザ機器１１の位置。
【００９５】
無線通信ネットワークにおいて第３のユーザ機器１６によって用いられるべき第２の無線リソースをスケジューリングするための、本明細書における実施形態は、本明細書における実施形態の機能及び／又は方法ステップを実行するためのコンピュータプログラムコードと共に、図８に表される第２の無線基地局１３における処理回路８０６などの１つ以上のプロセッサを通じて実装され得る。上記プログラムコードは、コンピュータプログラムプロダクトとして、例えば、第２の無線基地局１３にロードされる場合、幾つかの実施形態を実行するためのコンピュータプログラムコードを搬送するデータキャリアの形式で提供されてもよい。１つのそのようなキャリアは、ＣＤ  ＲＯＭディスクの形式であってもよい。ただし、メモリスティックなどの他のデータキャリアでも実現可能である。さらに、コンピュータプログラムコードは、サーバ上の純粋なプログラムコードとして提供され及び第２の無線基地局１３にダウンロードされてもよい。
【００９６】
第２の無線基地局１３は、メモリ８０７をさらに備え得る。メモリ８０７は、１つ以上のメモリユニットを含み、例えば、閾値、品質値、割り当てスキーム、無線リソース情報、位置、セル境界情報、隣接セルのデータ、第２の無線基地局１３又は同様のもの上で実行される場合に本明細書における方法を実行するためのアプリケーションといったデータを記憶するために用いられ得る。
【００９７】
図面及び明細書において、例示的な実施形態が開示されている。ただし、これらの実施形態には多くの変形及び変更が為されることができる。従って、具体的な用語が採用されているが、それらは限定する目的ではなく一般的且つ記述的な意味においてのみ用いられ、本発明の範囲は、添付の特許請求の範囲によって定義される。
【図１】
0005763835.tif 000002
【図２ａ）】
0005763835.tif 000003
【図２ｂ）】
0005763835.tif 000004
【図２ｃ）】
0005763835.tif 000005
【図３】
0005763835.tif 000006
【図４】
0005763835.tif 000007
【図５】
0005763835.tif 000008
【図６】
0005763835.tif 000009
【図７】
0005763835.tif 000010
【図８】
0005763835.tif 000011